(57)【要約】本発明は、バックシート（１２）層の上／中に、コア（１０）部分に局在する１つ以上のエラストマーストランド（１４）及び／又はストリップ（１６）を含む使い捨て又は着用可能な吸収性物品（１）を開示する。吸収性物品（１）は、赤ちゃん用おむつ、失禁用おむつ、パンツ、又はプルアップ衣類であることが好ましい。物品は、トップシート（６）、トップシート（６）とバックシート（１２）との間に配置されたバックシート（１２）及び吸収性コア（１０）、ならびに一対の長手方向側縁部を有し得る。エラストマーストランド（１４）及び／又はストリップ（１６）は、吸収性物品（１）のバックシート（１２）の長手軸に伸張形態で取り付けられ、それによりバックシートは弛緩した状態においてしわが寄った形になる。吸収性物品（１）は、着用時に垂れることなくユーザーの臀部によりよくフィットする。
2020509921.tif 000002
【特許請求の範囲】
【請求項１】
バックシート（１２）、トップシート（６）、及びトップシート（６）とバックシート（１２）の間に積層された吸収性コア（１０）を含む、長手軸（Ｘ）及び横軸（Ｙ）を有する吸収性物品（１）であって、
バックシート（１２）は、
ｉ）バックシート（１２）の内面であるポリマーフィルム層（１８）及び
ｉｉ）バックシート（１２）の外面である不織ウェブ層（２０）、
を有し、
ポリマーフィルム層（１８）は、
−吸収性コア（１０）と接触している内面及び、不織ウェブ層（２０）と接触している外面
を有し、不織ウェブ層（２０）は、
−ポリマーフィルム層（１８）と接触している内面及び、着用者の衣服と接触している外面
を有し、
バックシートは少なくとも１つのエラストマーストランド（１４）を含む、幅（Ｗ）及び長さ（Ｌ）を有する少なくとも１つのエラストマーストリップ（１６）を含み、
エラストマーストリップ（１６）は、実質的に吸収性コア（１０）の範囲に局在しており、
エラストマーストリップ（１６）は、長手軸（Ｘ）でバックシート（１２）の上／中に、伸張した形態で取り付けられており、弛緩状態において、エラストマーストリップ（１６）は吸収性物品（１）の長さを減ずる、吸収性物品。
【請求項２】
エラストマーストリップ（１６）が、ポリマーフィルム層（１８）の上／中、好ましくはポリマーフィルム層（１８）の内面又は外面、より好ましくは、ポリマーフィルム層（１８）の内面上に取り付けられている、請求項１に記載の吸収性物品。
【請求項３】
エラストマーストリップ（１６）が、長手軸（Ｘ）に伸張形態でバクシート（１２）のポリマーフィルム層（１８）の上／中に取り付けられており、吸収性物品（１）の長さ（Ｌ）を長手方向に最大５０％伸張することを可能としている、請求項２に記載の吸収性物品（１）。
【請求項４】
請求項１に記載のエラストマーストリップ（１６）を含む吸収性物品（１）であって、エラストマーストリップ（１６）の長さは、吸収性物品（１）の長さの５〜９５％、好ましくは２０〜７０％に延在する、吸収性物品（１）。
【請求項５】
請求項１に記載のエラストマーストリップ（１６）を含む吸収性物品（１）であって、２つのエラストマーストリップ（１６）間の距離（Ｂ）が少なくとも５ｍｍ、好ましくは少なくとも１０ｍｍである、吸収性物品（１）。
【請求項６】
請求項１に記載の幅（Ｗ）を有するエラストマーストリップ（１６）を含む吸収性物品であって、エラストマーストリップの幅（Ｗ）は、吸収性コア（１０）の幅（Ｗ）の最大８０％、吸収性コア（１０）の幅（Ｗ）の好ましくは最大４０％、より好ましくは最大２０％である、吸収性物品。
【請求項７】
請求項１に記載のエラストマーストランド（１４）を含む吸収性物品（１）であって、エラストマーストランド（１４）は、スチレンブロックコポリマー、ポリエステル、ポリウレタン、ポリエーテル及びポリエーテルブロックコポリマー、ラテックス、ゴムベースのポリマー、又はその混合物、好ましくはポリウレタンを含む弾性材料で形成される、吸収性物品（１）。
【請求項８】
請求項７に記載のポリウレタンで形成されたエラストマーストランド（１４）を含む吸収性物品（１）であって、ポリウレタンエラストマーストランド（１４）の直径が２００〜８００ミクロン、好ましくは４００〜６００ミクロンである吸収性物品（１）。
【請求項９】
請求項１に記載のエラストマーストランド（１４）を含む吸収性物品（１）であって、エラストマーストランド（１６）が、ホットメルト接着剤でバックシート（１２）に取り付けられている吸収性物品（１）。
【請求項１０】
請求項１に記載のエラストマーストランド（１４）を含むエラストマーストリップ（１６）を含んでなる吸収性物品（１）であって、バックシート（１２）は好ましくは、吸収性コア幅の中央に位置する少なくとも１つのエラストマーストランド（１４）を含む２つのエラストマーストリップ（１６）を含んでなる、吸収性物品（１）。
【請求項１１】
次の工程を含む、請求項１に記載の吸収性物品（１）の製造方法：
ｖｉ）１つ以上のエラストマーストランド（１４）を、吸収性物品（１）の長さ（Ｌ）の長手方向に最大５０％の伸張を提供する量で、伸張すること
ｖｉｉ）ホットメルト接着剤を使用して、バックシート（１２）のポリマーフィルム層（１８）の内面又は外面に、伸張したエラストマーストランド（１４）を取り付けること
ｖｉｉｉ）エラストマーストランド（１４）が取り付けられたバックシート（１２）を、下層として平らな位置に伸張形態で敷設すること
ｉｘ）バックシート（１２）に吸収性コア（１０）を取り付けること、
ｘ）表面を覆うように、トップシート（６）を吸収性コア（１０）及びバックシート（１２）の上に敷設し、吸収性物品（１）を形成すること。
【請求項１２】
吸収性物品（１）が、赤ちゃん用おむつ、失禁用おむつ、パンツ又はプルアップを含む使い捨て又は着用可能な物品として使用される、先行する請求項に記載の吸収性物品（１）。
【発明の詳細な説明】
【技術分野】
【０００１】
本発明は、限定されないが、ベビーおむつ、パンツ、プルアップおむつ、成人用失禁物品のような使い捨て又は着用可能な吸収性物品に関する。これらは、バックシート上に少なくとも１つのエラストマーストランド及び／又はストリップを取り付けることにより、吸収性物品にフィット形状構造及びたるみ防止特性を提供する。
【背景技術】
【０００２】
使い捨て又は着用可能な吸収性物品のような個人衛生用の吸収性物品は、身体の滲出物、特に尿又は糞便を吸収又は保持するように設計されている。これらの種類の吸収性物品は、赤ちゃん用おむつ、トレーニングパンツ、プルアップおむつ又は成人用失禁用製品であり得る。これらの吸収性物品は、異なる機能を有する複数の層を備えている。基本的に、吸収性物品は、トップシート、バックシート、及びトップシートとバックシートの間に積層された吸収性コアにより形成されるシャーシを含むことが知られている。トップシートと吸収性コア構造との間に獲得及び／又は分配層（ＡＤＬ）を使用することも知られている。
【０００３】
吸収性物品の層は、それらの特定の特徴に応じてさまざまな種類のポリマーを使用することにより製造することができる。
【０００４】
トップシートは、尿が吸収性コア層を通過することを可能にする吸収性物品の上部に重ねられている。トップシートは、着用者の皮膚と直接接触する吸収性物品の内側部分に重ねられている。トップシートは着用者の肌に直接接触するため、トップシートの素材はほとんどが柔らかい不織布（ＮＷ）素材から選択される。
【０００５】
獲得分配層（ＡＤＬ）は、摂取した液体又は糞をトップシート層から分配し、吸収性コアに比例して広げるように機能する。獲得分配層は一般に、トップシートから吸収された液体を吸収性コアに移すために、スパンボンドされたＮＷ材料で形成される。
【０００６】
吸収性コア構造は、尿と体液を吸収して保持するように設計されている。吸収性コア構造は一般に、超吸収性ポリマー材料及び／又はセルロース材料を必要とする。コア領域で使用される吸収材料により、大量の尿を吸収できる。
【０００７】
吸収性コアは、不織ウェブ構造で構成されたコアラップで覆われていてもよい。
【０００８】
バックシートは、身体及び衣服を身体の老廃物から保護するために、吸収性物品の最下層として層にされている。それは、吸収性物品の外面を形成し、吸収性構造からの液体又は糞便の漏れを防ぐ。
【０００９】
使い捨て又は着用可能な吸収性物品の設計は、着用中に身体構造に適合するように形作られている。股領域の形は、体の形を考慮して形作られる。
【００１０】
吸収性物品は、ユーザーの自由な動きを提供する股領域で柔軟であることが望ましい。柔軟な股領域の利点は次のとおりである。特にユーザーの脚が吸収性物品の股領域を圧縮する場合の着用者の運動の自由度の向上、及び／又は使用中の吸収性構造の性能の向上。一般的に、柔軟性の高い製品は、濡れると弾力性が低下し、使用中に形状を失う傾向がある。股領域は着用者の脚、特に赤ちゃんの動きによって圧縮されるため、吸収性物品の形状が変形する。吸収性コアが変形すると、製品が適切に機能しない可能性があり、流体漏れなどの故障の可能性が高まる。
【００１１】
コア構造は、尿や糞を吸収して保持するように設計されている。糞便及び尿の含有量が多いことにより、吸収性コアが重くなり、使用中に吸収性物品が下方に伸びる。その結果、吸収性物品は、股部分を着用者の脚で圧縮することによりその形状を失い、これは通常、たるみを引き起こし、これは着用者、特に遊びたいと思っている赤ちゃんや歩くことを試みる人にとって問題である。
【００１２】
本発明で解決すべき主な問題は、使用中の吸収性物品のたるみである。
【００１３】
たるみの問題を克服するために着用者にフィット形状構造を提供するために股領域にチャネルを形成することは、当技術分野で知られている。これらのチャネルは一般に、接着剤の助けを借りて吸収性コア層を成形することにより形成される。これらの種類の吸収性物品は、吸収性材料を包むコアラップで覆われた吸収性コアを有し、吸収性材料の少なくとも８０％は超吸収性ポリマーである。一般に、吸収性コアにはセルロース系材料は含まれていない。これらの種類の吸収性物品の形状は、高価な工業生産で使用されるように設計された新しい機械用途を必要とする。
【００１４】
ＵＳ２０１４１６３５０３は、接着剤の助けを借りて吸収性コアラップの上側及び下側を一緒に取り付けることによって形成される少なくとも２つのチャネル形成領域を含む使い捨て吸収性物品を記載している。チャネル形成領域には吸収粒子がなく、吸収コアにはセルロース繊維がない。物品が濡れると、股領域にチャネルが形成される。吸収性物品は、乾燥していると伝統的な物品であるように見え、物品が満たされるとチャネルが形成される。
【００１５】
膨張したチャネルは堅牢ではないため、永続的ではない。ユーザーがお尻に大まかに座ると、接着剤が塗布された部分からチャネルを破裂させることにより、チャネルが変形する可能性がある。
【００１６】
吸収性コアシートに超吸収性ポリマーのみを使用すると、ユーザー、特に乳児に柔らかさの問題が生じる可能性がある。セルロース繊維を使用して、より柔らかくふわふわした製品を得る必要がある。
【００１７】
さらに、超吸収性ポリマーを含まないチャネルを有するその種の吸収性物品を得るために、業界で異なる機械用途を使用する必要がある。従来のおむつ製造装置では、そのような構造を得ることができない。これは、経済的に実行不可能な産業用途にある。
【００１８】
加えて、これらの種類の用途では、吸収性コア構造は、漏れを防ぐために再び実現不可能な高吸収性ポリマーをほとんど含んでいる。大量の液体を吸収するために大量の超吸収性ポリマーが使用されるべきであるが、そのような大量の使用は経済的に実行可能ではない。
【００１９】
上記の観点から、上記の膨らんだ形状及びたるみの問題を示さない使い捨て吸収性物品を提供する必要がある。装填された状態の吸収性物品のフィット形状構造を、経済的、実現可能かつ簡単な方法で提供する必要がある。
【発明の概要】
【００２０】
本発明は、以下の実施形態に示されるような個人衛生用の吸収性物品を提供する。本発明は、使い捨て又は着用可能な吸収性物品などの吸収性物品を記載する。トップシート、バックシート、トップシートとバックシートとの間に位置する吸収性コア、及び好ましくは、トップシートと吸収性コアとの間に位置する液体獲得分配層を含むシャーシ。
【００２１】
吸収性物品のバックシートは、ポリマーフィルム層を含む内面を有する。それは、着用者に向かって身体に面する側として方向付けられる。吸収性物品のバックシートは、ＮＷウェブ層を含む外面を有する。吸収性物品が着用されているとき、着用者の衣服と直接接触している。
【００２２】
バックシートは、バックシート内／上に取り付けられた少なくとも１つのストランドを含む少なくとも１つのストリップを含む。バックシートは、ポリマーフィルム層の中／上に取り付けられた少なくとも１つのストランドを含む少なくとも１つのストリップを含む。
【００２３】
ストリップは、１つ以上のストランドによって形成され、チャネルのような構造を形成するために一緒にされる。
【００２４】
エラストマーストランドは、バックシートに取り付ける前に長手方向に伸張される。伸長されたエラストマーストランド及び／又はストリップは、好ましくは接着剤を塗布することによりバックシートのポリマーフィルム層の表面に取り付けられる。エラストマーストランド及び／又はストリップは、使用中におむつが濡れているときはチャネルのように振る舞い、たるみを防ぐためにおむつを持ち上げる。エラストマーストランド及び／又はストリップは、使用中及び非使用中に吸収性物品にフィット形状構造を提供する。
【図面の簡単な説明】
【００２５】
【図１】本発明に記載されている、平らな位置にある吸収性物品の層の平面図。
【図２】本発明によるポリマーフィルム層及び不織ウェブ層である層を示すバックシートの平面図。
【図３】本発明で説明するように、バックシートに単一のエラストマーストランドが取り付けられた、平らな位置にある使い捨ておむつの上面図。
【図４】本発明に記載のようにバックシートに取り付けられたストリップに二重エラストマーストランドを有する、平らな位置の使い捨ておむつの上面図。
【図５】本発明で説明するようにバックシートに取り付けられたストリップに三重エラストマーストランドを有する、平らな位置の使い捨ておむつの平面図。
【図６】本発明に記載のようにバックシートに単一のエラストマーストランドが取り付けられている使用時のウェアラブルパンツの正面図
【図７】本発明で説明するように、バックシートに取り付けられたストリップに二重エラストマーストランドを有する使用時のウェアラブルパンツの正面図
【図８】本発明に記載のようにバックシートに取り付けられたストリップに三重エラストマーストランドを有する使用時の着用可能パンツの正面図。
【図９】フラットシートの使い捨ておむつの平面図。バックシートにストリップ状の二重エラストマーストランドが取り付けられている。  ９ａ．本発明で説明される伸長状態  ９ｂ．本発明で説明される弛緩状態ここで；１：吸収性物品２：おむつ４：パンツ６：トップシート８：獲得及び／又は配布層（ＡＤＬ）１０：吸収性コア１２：バックシート１４：エラストマーストランド１６：エラストマーストリップ１８：ポリマーフィルム層２０：不織ウェブ層Ｘ：長手軸Ｙ：横軸Ａ：２つのストランド間の距離Ｂ：２つのストリップ間の距離Ｗ：幅
【００２６】
図１は、吸収性物品のバックシート層上の複数のエラストマーストランド（１４）によって形成されたエラストマーストリップ（１６）を備えた、平らな状態の例示的なおむつの平面図である。
【００２７】
図２は、２つの層を含むバックシートの平面図である。バックシートの内部層はポリマーフィルム層であり、バックシートの外部層は不織ウェブ構造である。
【００２８】
おむつの形態の本発明による例示的な吸収性物品は、図３〜５に示されている。
【００２９】
パンツ又はプルアップの形態の本発明による例示的な吸収性物品は、図６〜８に示されている。
【００３０】
図９ａは、バックシートに取り付けられた、それぞれに二重エラストマーストランド（１４）を含む二重エラストマーストリップ（１６）を備えた平らな状態の例示的なおむつの平面図であり、吸収性物品は伸張状態にあり、エラストマーストランドがまっすぐな形態で敷設される。
【００３１】
図９ｂは、それぞれが単一のエラストマーストランド（１４）を含む二重エラストマーストリップ（１６）を備えた平坦な状態の例示的なおむつの平面図であり、吸収性物品は弛緩状態にあり、エラストマーストランドはしわが寄った形状となる。
【００３２】
示されたおむつ及び／又はパンツ構造は、本発明が多種多様な吸収性物品を製造するために適用され得るため、例示目的のみのために示されている。
【００３３】
略語
ＮＷ：不織布
ＡＤＬ：獲得及び／又は分散層
ＳＡＰ：高吸水性ポリマー
Ｌ：長さ
Ｗ：幅
【発明を実施するための形態】
【００３４】
本発明は、これらに限定されないが、提供するためのエラストマーストランド（１４）及び／又はストリップ（１６）を含む乳児用おむつ、トレーニングパンツ及び成人用失禁製品などの吸収性物品（１）に関する。形状構造とたるみ防止特性を吸収性物品に適合させる（１）。
【００３５】
本明細書で使用される吸収性物品という用語は、体液を吸収し、体から排出される様々な滲出物を保持するために着用される、ベビーおむつ（２）、トレーニングパンツ（４）、成人失禁用製品などの使い捨て又は着用可能な吸収性物品を指す。典型的には、これらの物品は、トップシート（６）、バックシート（１２）、吸収性コア（１０）、及び任意に１つ以上の層及び典型的には締結部材、袖口、及び正面テープ構造などの他の構成要素で構成され得る捕捉／分布（８）層を含む。
【００３６】
本発明は、乾燥状態と湿潤状態の両方で改善されたフィット感を提供し、着用者に改善された快適さを提供する吸収性物品（１）に関する。
【００３７】
乾燥状態とは、吸収性物品（１）が着用者に着用されているが体液又は糞便が装填されていないこと、又は吸収性物品（１）がまだ着用されていないことを指す。
【００３８】
濡れた状態とは、使用中の体液又は糞便が装填された吸収性物品（１）を指す。
【００３９】
本発明は、使用中に装填状態及び非装填状態で垂れ防止性を有する吸収性物品（１）に関する。
【００４０】
本発明の吸収性物品（１）は、液体透過性トップシート（６）、液体不透過性バックシート（１２）、トップシート（６）とバックシート（１２）との間に位置する吸収性コア（１０）、及び（８）、トップシート（６）と吸収性コア（１０）の間にある獲得分配層（ＡＤＬ）を含む。吸収性物品（１）はまた、吸収性物品（１）のシャーシと実質的に平面の液体不透過性バリアレッグカフを備えてもよい。
【００４１】
本発明は、所与の非限定的な実施形態とともに開示される。
【００４２】
一実施形態では、吸収性物品（１）のバックシート（１２）は、吸収性物品（１）が乾燥状態及び使用中の濡れた状態においてチャネルを有するように、少なくとも１つのストランド（１４）及び／又はストリップ（１６）で成形される。
【００４３】
本出願によれば、形成されたチャネルは、バックシート（１２）上にエラストマーストランド（１４）及び／又はストリップ（１６）を取り付けるために使用されるホットメルト接着剤の助けを借りて永続的に形成されるため、外力によって変形することはできない。
【００４４】
さらに、本発明の利点として、超吸収性ポリマー及び／又はセルロース繊維を吸収性コア（１０）材料として別々に又は混合物で使用することができる。
【００４５】
一実施形態では、エラストマーストランド（１４）及び／又はストリップ（１６）は、バックシート（１２）に平らな位置で取り付ける前に、ある程度伸びるまで長手方向に伸びる。
【００４６】
一実施形態では、使用されるエラストマーストランド（１４）及び／又はストリップ（１６）は、バックシート（１２）の少なくとも片面に接着剤を使用して取り付ける。
【００４７】
一実施形態では、エラストマーストランド（１４）及び／又はストリップ（１６）は、バックシート（１２）のポリマーフィルム層（１８）の中／上に平らに取り付ける前に、ある程度伸びるまで長手方向に伸びる。ポジション。
【００４８】
一実施形態では、エラストマーストランド（１４）及び／又はストリップ（１６）は、バックシート（１２）のポリマーフィルム層（１８）に平らな位置で取り付ける前に、ある程度伸びるまで長手方向に伸びる。
【００４９】
一実施形態では、エラストマーストランド（１４）及び／又はストリップ（１６）は、吸収性コア（１０）と接触しているバックシート（１２）のポリマーフィルム層（１８）の内面に付着する前に長手方向にある程度伸びる。
【００５０】
一実施形態では、エラストマーストランド（１４）及び／又はストリップ（１６）は、不織ウェブ層（２０）と接触しているバックシート（１２）のポリマーフィルム層（１８）の外面に付着する前に、ある程度伸びるまで長手方向に伸びる。
【００５１】
一実施形態では、エラストマーストランド（１４）及び／又はストリップ（１６）は、バックシート（１２）のポリマーフィルム層（１８）に平らな位置で取り付ける前に、ある程度伸びるまで長手方向に伸びる。
【００５２】
本発明において；本明細書で使用されるエラストマーストランドの用語は、エラストマーポリマー材料によって形成された１つのストリング又はバンドのみを意味する。そして、本明細書で使用されるエラストマーストリップの用語は、１つのエラストマーストランド（１４）がある程度伸びる幅を有するか、又は複数のエラストマーストランド（１４）がエラストマーストリップ（１６）。ある程度幅を有する少なくとも１つのエラストマーストランド（１４）は、エラストマーストリップ（１６）を形成し得る。
【００５３】
本発明によれば；
【００５４】
トップシート（６）は、吸収性物品（１）の上部に物品の内側として配置され、スパンボンド又はメルトブローン不織布構造で形成することができる。
【００５５】
本発明では、トップシート（６）は、液体透過性スパンボンド不織ウェブ構造（２０）から形成される。トップシート（６）の機能は、身体の滲出物を最下層に通すことである。
【００５６】
本発明において、捕捉分布層（８）（ＡＤＬ）は、トップシート（６）と吸収性コア（１０）との間に配置される。獲得分配層（８）の機能は、体液を吸収し、それを吸収性コア（１０）に分配して比例的に広げることである。本発明では、ＡＤＬ（８）は、スパンボンドされたＮＷウェブ構造から形成される。
【００５７】
本発明において、吸収性コア（１０）は、バックシート（１２）と捕捉分配層（８）又はトップシート（６）との間に配置される。吸収性コア（１０）の機能は、身体の滲出液を長時間にわたって吸収し保持することである。例えば；再湿潤を最小限に抑え、着用者をドライに保ち、一晩で衣服やシーツを汚さないようにする。
【００５８】
本発明において、吸収性物品（１）は、以下のような既知の吸収性材料を含む。セルロースなどの木材パルプと、吸収性ゲル化材料とも呼ばれる粒子状の超吸収性ポリマー（ＳＡＰ）のブレンド。吸収性コア（１０）層はそれらの両方を含むことができ、又は吸収性コアは、無負荷状態でより薄い性質を有する吸収材料としてＳＡＰのみを含むことができる。
【００５９】
本発明では、吸収性物品（１）は、次のような吸収性材料を含む吸収性コア（１０）を有する。ＳＡＰ及び／又はセルロース。
【００６０】
本発明では、バックシート（１２）は吸収性コア（１０）の下に配置される。本発明のバックシート（１２）は、少なくとも２つの層を含む任意の既知の従来の構造で形成される。これらの２つの層の１つは不織布（ＮＷ）ウェブ構造（２０）で形成され、もう１つはポリマーフィルム層（１８）で形成されている。
【００６１】
本発明において、バックシートは、ポリマーフィルム層（１８）の複数の層を含んでもよい。
【００６２】
本発明において、バックシートは、不織ウェブ層（２０）の複数の層を含むことができる。
【００６３】
本発明のバックシート（１２）は、液体不浸透性のものである。バックシート（１２）の機能は、吸収性物品（１）の内部に液体又は糞便を保持することにより、着用者の身体及び衣服の滲出物を防ぐことである。
【００６４】
本明細書で使用される不織ウェブ層は、方向付けされた又はランダムに配向された繊維によって形成され、スパンボンディング又はメルトブローン結合法によって結合された製造ウェブシートであってもよい。繊維は天然のものでも人工のものでもよく、ステープル又は連続フィラメントでもよい。市販の繊維をＮＷウェブ繊維として使用できる。繊維は、ステープル又は切り刻まれたもののような短い繊維；フィラメント又はモノフィラメントとしての連続した単一繊維など、いくつかの異なる形態がある。
【００６５】
本発明の不織ウェブ層（２０）は、メルトブロー、スパンボンド、溶媒紡糸、エレクトロスピニング、カーディング及びエアレイなどの任意の既知のプロセスによって形成することができる。本発明で使用される不織ウェブの坪量は、トップシート（６）、ＡＤＬ（８）又はバックシート（１２）で異なる。
【００６６】
本開示で使用されるポリマーフィルム層（１８）はポリマー材料のフィルム層を意味する。吸収性物品（１）のバックシート（１２）に使用されるポリマーフィルム（１８）は、ポリプロピレン、ポリエチレン又はそれらの混合物のような任意の既知のポリマー材料であり得る。
【００６７】
最新技術では、ポリマーフィルムが不織ウェブに積層されてバックシート（１２）を形成し、吸収性物品（１）からの液体漏れを防ぐ。
【００６８】
任意の既知のバックシート形成プロセスを本発明に適用することができる。本発明において形成されるバックシートは、実質的に非弾性の性質を有する。
【００６９】
本発明では、少なくとも１つのエラストマーストランド（１４）及び／又はストリップ（１６）が、バックシート上／中に伸長形態で取り付けられる。弛緩状態にあるとき、エラストマーストランド（１４）及び／又はストリップ（１６）は、吸収性物品（１）の長さをある程度減ずる。
【００７０】
エラストマーストランド（１４）又はストリップ（１６）材料は、ＳＢＳ及び／又はＳＥＢＳを含むブロックコポリマー、スチレンブロックコポリマー、ポリエステル、ポリウレタン、ポリエーテルなどのエラストマーポリマーを含むことができる弾性材料から選択されてもよい。ポリエーテルブロックコポリマー、ラテックス、ゴムベースのポリマー、又はそれらの組み合わせ。本発明では、エラストマーストランド（１４）又はストリップ（１６）材料としてポリウレタン又はゴムベースのポリマーが好ましく、より好ましくはポリウレタンが使用される。
【００７１】
本発明によれば、エラストマーストランド（１４）及び／又はストリップ（１６）は、吸収性物品（１）のたるみを防止する吸収性コア（１０）の範囲に実質的に局在するバックシートに取り付けられる。）。エラストマーストランド（１４）及び／又はストリップ（１６）は、コア幅（Ｗ）範囲で対称的に配向されていてもよい。
【００７２】
本発明の詳細は、以下の実施形態としてさらに与えられる。
【００７３】
一実施形態では、本発明のバックシート（１２）は、ポリマーフィルム層（１８）とＮＷウェブ層（２０）を一緒に積層することにより形成される。これら２つの層の積層の前後に、１つ以上のエラストマーストランド（１４）及び／又はストリップ（１６）がポリマーフィルム層（１８）に取り付けられる。ポリマーフィルム層（１８）及びＮＷウェブ層（２０）は、バックシート（１２）の内面及び外面を形成する。
【００７４】
一実施形態では、ポリマーフィルム層（１８）は、吸収性コア（１０）と直接接触するバックシート（１２）の内面を形成する。ポリマーフィルム層（１８）は２つの表面を有する。内面は吸収性物品の吸収性コア（１０）に取り付けられ、外面はＮＷウェブ層（２０）に取り付けられている。
【００７５】
別の実施形態では、不織ウェブ層（２０）は、着用者の衣服と直接接触するバックシート（１２）の外面を形成する。ＮＷウェブ層（２０）は２つの表面を有する。ＮＷウェブ層（２０）の内面は、ポリマーフィルム層（１８）の外面に取り付けられ、ＮＷウェブ層（２０）の外面は、ユーザーの衣服及び着用者の足と直接接触している。
【００７６】
一実施形態では、エラストマーストランド（１４）及び／又はストリップ（１６）は、ポリマーフィルム層（１８）に封入するか、バックシートのポリマーフィルム層（１８）の任意の表面に取り付けることができる。（１２）。エラストマーストランド（１４）は、ポリマーフィルム層（１８）の内部表面及び／又は外部表面に結合されてもよい。
【００７７】
本発明によれば、エラストマーストランド（１４）は、好ましくは、ポリマーフィルム層（１８）の内面に取り付けられる。
【００７８】
ポリマーフィルム層（１８）の外面にエラストマーストランド（１４）及び／又はストリップ（１６）を取り付けることにより、バックシート（１２）の形状がひだを付けたように見える場合がある。さらに、エラストマーストリップ（１６）をしっかりと取り付けることができず、その結果、エラストマーストランド（１４）をバックシート表面から取り外すことができる。したがって、エラストマーストランドは、本発明ではポリマーフィルム層（１８）の内面に付着することが好ましい。
【００７９】
一実施形態では、エラストマーストランド（１４）及び／又はストリップ（１６）は、バックシート（１２）に平らな位置で取り付ける前に、ある程度まで伸張される。その後、それらはバックシート（１２）、好ましくはポリマーフィルム層表面（１８）に取り付けられる。エラストマーストランド（１４）は、吸収性物品の弛緩状態で股領域にしわの寄ったバックシートを有する吸収性物品を得るためにある程度伸びる。
【００８０】
一実施形態では、エラストマーストランド（１４）及び／又はストリップ（１６）の伸長形態は、ポリマーフィルム層（１８）及び／又は不織ウェブ層（２０）の中／上に取り付けられる。長手及び／又は実質的に湾曲した長手構造のバックシート（１２）。
【００８１】
本発明では、エラストマーストランド（１４）及び／又はストリップ（１６）は、そのように伸びるように伸張される。吸収性物品の長手方向に最大５０％の伸縮を可能にする（１）。
【００８２】
本発明によれば、吸収性物品（１）の長手方向に最大５０％の伸びを提供するように、エラストマーストランド（１４）は、例えば、約５００ミクロンの直径を有するポリウレタンベースのエラストマーストランドに対して、その元の長さの３００％、その元の長さの好ましくは２５０％、より好ましくは２００％、伸長され得る。
【００８３】
一実施形態では、エラストマーストランド（１４）及び／又はストリップ（１６）の伸長形態は、バックシート（１２）のポリマーフィルム層（１８）内／上、好ましくはポリマーフィルム層（１８）上に取り付けられる。
【００８４】
別の実施形態では、エラストマーストランド（１４）及び／又はストリップ（１６）は、好ましくは、実質的に吸収性物品（１）の吸収性コア（１０）の範囲に局在化される。一方、エラストマーストランド（１４）及び／又はストリップ（１６）の長さは、長手軸（Ｘ）の吸収性コアの長さより長くてもよい。
【００８５】
本発明によれば、エラストマーストランド（１４）及び／又はストリップ（１６）の長さは、吸収性物品（１）の長手軸の長さ（Ｌ）の５から９５％、好ましくは２０から７０％の範囲に及ぶ。
【００８６】
別の実施形態では、エラストマーストランド（１４）及び／又はストリップ（１６）は、吸収性物品（１）の吸収性コア（１０）の下に敷設されることにより、バックシート（１２）上にチャネル状構造を形成する。
【００８７】
チャネルは、少なくとも１つのエラストマーストランド（１４）及び／又は少なくとも１つのエラストマーストリップ（１６）によって形成され得る。エラストマーストリップ（１６）は、少なくとも１つのストランド（１４）又は複数のエラストマーストランド（１４）によって形成されてもよい。これらの形成されたチャネルは永続的である。つまり、チャネルの完全性は、乾燥状態と湿潤状態の両方で維持される。
【００８８】
一実施形態では、吸収性物品（１）が使用されているとき、バックシート（１２）はしわが寄っていてもよい。バックシートは、物品が平らな位置にあるときに、少なくとも１つの伸張エラストマーストランド（１４）及び／又はストリップ（１６）を取り付けることにより形成される。
【００８９】
本明細書で使用される結合又は付着という用語は、要素を他の要素に直接貼り付けることによって要素を別の要素に直接結合する構成、及び要素を中間部材に貼り付けることによって要素を別の要素に間接的に結合する構成を表す）次に、他の要素に付加される。
【００９０】
本明細書で使用される「伸張又は伸長」という用語は、元の長さに対して増加又は伸長した材料の長さを指す。
【００９１】
「元の長さ」として使用される用語は、非伸長状態又は非圧着状態の材料の長さを指す。
【００９２】
弾性又はエラストマーポリマーという用語は、応力下で元の長さの３００％以上まで伸縮可能な材料を指し、加えられた伸縮力が取り除かれると元の長さに戻ることができる。
【００９３】
用語は実質的に大部分を指す。
【００９４】
本発明によれば、吸収性物品（１）のバックシート（１２）は、１つ以上のエラストマーストランド（１４）及び／又は１つ以上のエラストマーストリップ（１６）を含む。
【００９５】
エラストマーストリップ（１６）は、１つ又は複数のエラストマーストランド（１４）で構成されている。
【００９６】
一実施形態では、バックシート（１２）は、少なくとも１つのエラストマーストランド（１４）を含む少なくとも１つのエラストマーストリップ（１６）を含む。エラストマーストリップは、幅（Ｗ）及び長さ（Ｌ）を有する。
【００９７】
本発明によれば、エラストマーストリップ（１６）は、少なくとも１つのエラストマーストランド（１４）で形成された幅（Ｗ）を有する。
【００９８】
一実施形態では、吸収性物品（１）のバックシート（１２）は、１つのエラストマーストランド（１４）からなる１つのエラストマーストリップ、又は１つのエラストマーストランド（１４）からそれぞれなる少なくとも２つのエラストマーストリップ（１６）を含む。
【００９９】
別の実施形態では、吸収性物品（１）のバックシート（１２）は、少なくとも２つのエラストマーストランド（１４）からなる１つのエラストマーストリップ（１６）、又は少なくとも２つのエラストマーストランド（１４）からなる少なくとも２つのエラストマーストリップ（１６）を含んでもよい。
【０１００】
一実施形態では、エラストマーストランド（１４）及び／又はストリップ（１６）の１つ以上はポリウレタン及び／又はラテックス及び／又はゴム系ポリマーとのその混合物から作られるポリマーフィルム層（１８）上に結合されている。
【０１０１】
本発明によれば、エラストマーストランド（１４）及び／又はストリップ（１６）は、好ましくはポリウレタンから作られる。
【０１０２】
本発明によれば、単一のポリウレタンエラストマーストランド（１４）の直径は、好ましくは２００から８００ミクロンの間、より好ましくは４００から６００ミクロンの間である。
【０１０３】
本発明によれば、２つのエラストマーストリップ（１６）間の距離は少なくとも５ｍｍ、より好ましくは１０ｍｍである。一方、２つのエラストマーストリップ（１６）間の距離（Ｂ）は互いに対向する各エラストマーストリップ（１４）の外側エラストマーストランド（１６）の間として測定される。
【０１０４】
本発明によれば、少なくとも２つのストリップは、好ましくは、吸収性コア（１０）の幅（Ｗ）に関して中央に配置される。
【０１０５】
本発明によれば、少なくとも１つのエラストマーストランド（１４）を含むエラストマーストリップ（１６）の幅（Ｗ）は、吸収性コア（１０）の幅（Ｗ）の最大で８０％、好ましくは最大で４０％、より好ましくは最大で吸収性コア（１０）の幅（Ｗ）の２０％である。
【０１０６】
本発明によれば、物品のバックシート（１２）上のエラストマーストランド（１４）及び／又はストリップ（１６）によって形成されたチャネルは永続的である。本明細書で使用される「永続的」とは、乾燥状態及び湿潤状態の両方で吸収性物品（１）を変形させることなく、チャネル構造が同じ構造に維持されることを意味する。
【０１０７】
本発明によれば、エラストマーストランド（１４）及び／又はストリップ（１６）は、実質的に吸収性コア（１０）の下に局在し、バックシート（１２）に取り付けられて、チャネル様構造を形成する。
【０１０８】
吸収性物品（１）の乾燥状態では、形成されたチャネルは吸収性物品（１）を保持し、着用者に快適さを提供する。取り付けられたエラストマーストランド（１４）及び／又はストリップ（１６）は、バックシート（１２）構造をしわにし、着用者の身体に物品をフィットさせるのに役立つ。
【０１０９】
吸収性物品（１）の湿潤状態では、形成されたチャネルは、身体滲出物で満たされた吸収性物品（１）を保持する。さらに、ユーザーの臀部にフィットする形状構造を提供し、体液や糞便の漏れを防ぐ。
【０１１０】
特に本発明では、チャネルは、着用者の摩擦力及び動きに耐性がある。ユーザーの激しい動きによってチャンネルが破裂することはない。
【０１１１】
一実施形態において、永続的チャネルは、ポリマーフィルム層（１８）としてエラストマーシート（１４）又はストリップ（１６）をバックシート（１２）の内面に取り付け、続いてポリマーフィルム層（１８）を不織ウェブ層（２０）上に積層することにより得られる。
【０１１２】
一実施形態では、ポリマーフィルム層（１８）は、不織ウェブ層（２０）に積層され、その後、エラストマーストランド（１４）及び／又はストリップ（１６）を身体に面する側であるポリマーフィルム層（１８）の内面に取り付ける。
【０１１３】
別の実施形態では、エラストマーストランド（１４）及び／又はストリップ（１６）は、衣類に面する側であるポリマーフィルム層（１８）の外面に取り付けられ、続いて不織ウェブ層（２０）に積層される。
【０１１４】
本発明によれば、エラストマーストランド（１４）及び／又はストリップ（１６）のうちの１つ以上は、好ましくはポリマーフィルム層（１８）の内側に結合される。
【０１１５】
一実施形態では、エラストマーストランド（１４）及び／又はストリップ（１６）は、使用される熱可塑性接着剤が好ましくはホットメルト接着剤である熱可塑性接着剤を塗布することによりポリマーフィルム層（１８）に取り付けられる。
【０１１６】
一実施形態では、ホットメルト接着剤は、エラストマーストランド（１４）及び／又はストリップ（１６）の表面上に押し出し、圧延又は噴霧することにより塗布することができる。
【０１１７】
本発明で使用されるホットメルト接着剤は炭化水素、ポリオレフィン、樹脂又はゴムベースのポリマーから選択することができる。ポリオレフィンベースのポリマーなど。ポリエチレン、ポリプロピレン、ポリブテン−１、酸化ポリエチレン、ポリイソプレン又はポリブタジエンは、Ａ−Ｂ−Ａトリブロック構造、Ａ−Ｂジブロック構造、及び（Ａ−Ｂ）ｎラジアルブロックコポリマー構造を含むブロックコポリマーの形態をとることができる。ゴム系ポリマーなど。スチレン共重合体接着剤とも呼ばれるスチレンブロック共重合体（ＳＢＣ）、低温柔軟性、高伸び、高耐熱性を備えたゴム系接着剤を使用できる。ゴムベースのポリマーは、通常、Ａ−Ｂ−Ａ構造を有し、スチレン−ブタジエン−スチレン（ＳＢＳ）、スチレン−イソプレン−スチレン（ＳＩＳ）、スチレン−エチレン／ブチレン−スチレン（ＳＥＢＳ）又はスチレン−エチレン／プロピレン（ＳＥＰ）のような２つの硬質プラスチックエンドブロックの間に弾性ゴムセグメントがある。
【０１１８】
本発明によれば、好ましいホルトメルト接着剤は、スチレンゴム共重合体などのゴムベースのホットメルト接着剤である。
【０１１９】
本発明によれば、吸収性物品は、以下のステップを含むプロセスで製造される。
【０１２０】
ｉ）吸収性物品の長手方向に最大５０％の長さ（Ｌ）の伸張を提供するために、１つ以上のエラストマーストランド（１４）を伸張すること、
【０１２１】
ｉｉ）ホットメルト接着剤を使用して、バックシート（１２）のポリマーフィルム層（１８）の内面又は外面に伸縮性エラストマーストランド（１４）を取り付けること、
【０１２２】
ｉｉｉ）エラストマーストランド（１４）が取り付けられたバックシート（１２）を、下層として平らな位置に伸張形態で敷設すること、
【０１２３】
ｉｖ）バックシート（１２）に吸収性コア（１０）を取り付けること、
【０１２４】
ｖ）トップシート（６）を吸収性コア（１０）及びバックシート（１２）の上に置き、表面を覆い、吸収性物品（１）を形成すること
【０１２５】
エラストマーストランド（１４）及び／又はストリップ（１６）を有する吸収性物品（１）の製造は、以下のさらなる詳細とともに実施例に開示されている。
【０１２６】
実施例１：本発明の吸収性物品（１）の製造
エラストマーストランド（１４）及び／又はストリップ（１６）を有する本発明の吸収性物品（１）は、以下のステップにより製造することができる。
【０１２７】
−ポリマーフィルム層（１８）と不織ウェブ層（２０）を一緒にラミネートして、バックシート（１２）を形成すること。
【０１２８】
−１つ又は複数のエラストマーストランド（１４）を元の長さの最大３００％に伸張すること。ここで、エラストマーストランド（１４）の伸長形態は、吸収性物品の元の長さに達するように、吸収性物品（１）の長手方向に最大５０％の長さ（Ｌ）の伸長を可能とする。
【０１２９】
−ホットメルト接着剤を使用して、吸収性コア領域のバックシート（１２）のポリマーフィルム層（１８）の内面に、伸長したエラストマーストランド（１４）を取り付けること。
【０１３０】
−エラストマーストランド（１４）を取り付けたバックシート（１２）を、下層として平らな位置に伸張した状態で敷設すること。
【０１３１】
−バックシート（１２）に吸収性コア（１０）を敷設すること。
【０１３２】
−吸収性コア（１０）にＡＤＬ（８）を敷設すること。
【０１３３】
−ＡＤＬ（８）とバックシート（１２）にトップシート（６）を置き、表面を覆い、吸収性物品（１）を形成すること。
【０１３４】
実施例２：本発明の吸収性物品（１）の製造
【０１３５】
エラストマーストランド（１４）及び／又はストリップ（１６）を有する本発明の吸収性物品（１）は、以下のステップにより製造することができる。
【０１３６】
−１つ又は複数のエラストマーストランド（１４）を元の長さの最大３００％に伸張すること。ここで、エラストマーストランド（１４）の伸張形態は、吸収性物品の元の長さに達するように、吸収性物品（１）の長手方向に最大５０％の長さ（Ｌ）の伸縮が可能である。
【０１３７】
−ホットメルト接着剤を使用して、伸縮性ストランド（１４）を吸収性コア領域のバックシート（１２）のポリマーフィルム層（１８）の外面に取り付けること。
【０１３８】
−ポリマーフィルム層（１８）と不織ウェブ層（２０）を一緒にラミネートして、バックシート（１２）を形成すること。
【０１３９】
−エラストマーストランド（１４）を取り付けたバックシート（１２）を、下層として平らな位置に伸張した状態で敷設すること。
【０１４０】
−バックシート（１２）に吸収性コア（１０）を敷設すること。
【０１４１】
−吸収性コア（１０）にＡＤＬ（８）を敷設すること。
【０１４２】
−ＡＤＬ（８）とバックシート（１２）にトップシート（６）を置き、表面を覆い、吸収性物品（１）を形成すること。
【０１４３】
本発明におけるエラストマーストランド（１４）及び／又はストリップ（１６）を有する吸収性物品（１）の製造は、以下の実施例３でさらに開示される。本発明の範囲を限定するものではない。
【０１４４】
実施例３：本発明の吸収性物品（１）の製造
【０１４５】
エラストマーストランド（１４）及び／又はストリップ（１６）を有する本発明の吸収性物品（１）は、以下のステップにより製造することができる。
【０１４６】
−厚さ約１５ミクロンのポリエチレン系ポリマーから作られたポリマーフィルム層（１８）と不織ウェブ層（２０）を積層して、４８５ｍｍの長さを持つバックシート（１２）を形成すること。
【０１４７】
−元の長さの最大２００％までそれぞれ２つのエラストマーストランド（１４）を持つ２つのエラストマーストリップ（１６）を伸張し、ホットメルト接着剤がエラストマーストランド（１４）に塗布されること、ここで、各エラストマーストランドが形成される５００ミクロンの直径を有するポリウレタンベースのポリマーから作られている。
【０１４８】
−吸収性コア領域の中心に位置するバックシート（１２）のポリマーフィルム層（１８）の内面に、伸長したエラストマーストランド（１４）を取り付けること。ここで、２つのストランド間の距離は３ｍｍで、２つのストリップの間は３０ｍｍで、吸収性コアの幅は９０ｍｍである。
【０１４９】
−エラストマーストランド（１４）を取り付けたバックシート（１２）を、下層として平らな位置に伸張状態で敷設すること。
【０１５０】
−バックシート（１２）に吸収性コア（１０）を敷設すること。
【０１５１】
−吸収性コア（１０）にＡＤＬ（８）を敷設すること。
【０１５２】
−トップシート（６）をＡＤＬ（８）及びバックシート（１２）の上に置き、表面を覆い、吸収性物品（１）を形成すること。
【０１５３】
−吸収性物品に適用されたストレッチを解放して、吸収性物品の縮れた構造を得ること。
【０１５４】
−このようにして得られた吸収性物品は３９０ｍｍの長さを持ち、
【０１５５】
−したがって、吸収性物品の長さの２０％の短縮が達成され、
【０１５６】
一一方、短縮された長さの測定のための試験方法が適用され、それは以下の本願で特定される。
【０１５７】
本発明によれば、接着剤は、ポリマーフィルム層（１８）上のエラストマーストランド（１４）の含浸に使用することができる。
【０１５８】
ポリマーフィルム層（１８）上のエラストマーストランド（１４）の結合に接着剤を使用することは、本発明において好ましい方法である。しかし、他の既知の方法、例えば超音波又は熱接着を適用することもできる。
【０１５９】
本発明は、特許請求の範囲に示されるような個人衛生用の吸収性物品（１）を提供する。吸収性物品（１）は、前縁部及び後縁部、長手方向に延びる長手軸、及び吸収性物品の横方向に延びる横軸を有する。
【０１６０】
一実施形態では、エラストマーストランド（１４）及び／又はストリップ（１６）は、バックシート（１２）上で長軸（Ｘ）又は長軸（Ｘ）で実質的に湾曲した形態で結合されてもよい。吸収性物品（１）が平らな位置にあるとき。望ましい取り付け方向は、長手（Ｘ）軸である。
【０１６１】
本発明では、図１〜８に示すように、吸収性コア（１０）上のチャネル様構造及びユーザーに最適な形態を提供するエラストマーストランド（１４）及び／又はストリップ（１６）をバックシート（１２）の長手軸（Ｘ）に取り付けることが好ましい。
【０１６２】
本発明において、エラストマーストランド（１４）及び／又はストリップ（１６）は、実質的に湾曲した長手軸（Ｘ）でバックシート（１２）に取り付けられてよく、これはまた、吸収性コア（１０）にチャネル様構造及びユーザーに最適な形態を提供し得る。
【０１６３】
本発明では、弛緩状態にあるとき、長手軸（Ｘ）のバックシート（１２）上のエラストマーストランド（１４）及び／又はストリップ（１６）は、図９ｂに示すようにバックシート構造をしわにすることにより吸収性物品（１）の長さを減少させる。
【０１６４】
本発明において、エラストマーストリップ（１６）は、バックシート（１２）のポリマーフィルム層（１８）の上／中に、長手方向に最大５０％の伸長をもたらすように伸張形態で長手軸（Ｘ）で取り付けられる。吸収性物品（１）の方向は、伸縮することにより吸収性物品（１）の元の長さに達する。
【０１６５】
吸収性物品の短縮された長さを測定するための試験方法：
吸収性物品の短縮された長さは、以下のステップを含む方法に従って測定される。
【０１６６】
−エラストマーストランド（１４）及び／又はストリップ（１６）のない基準吸収性物品のレッグカフは、吸収性物品から切断されて除去され、
【０１６７】
−次に、基準吸収性物品を平らな面に平らな位置に敷設し、
【０１６８】
−基準吸収性物品の長さは、定規を使用して測定し、
【０１６９】
−本発明の吸収性物品に、基準吸収性物品と同じ元の長さを有するバックシートを有するエラストマーストランド（１４）及び／又はストリップ（１６）を提供し、
【０１７０】
−本発明の吸収性物品のレッグカフは、切断されて吸収性物品から除去され、
【０１７１】
−本発明の残りの吸収性物品は、平らな位置で平面上に置かれ、
【０１７２】
−本発明の吸収性物品の長さは、定規を使用して測定され、
【０１７３】
−基準吸収性物品と本発明の吸収性物品との間の長さの差が計算される。
【０１７４】
上述の室内試験方法によれば、吸収性物品（１）の長さの減少量が計算される。エラストマーストランド（１４）を伸張すると、吸収性物品の長さがある程度短くなる。
【０１７５】
本発明によれば、エラストマーストランドの伸長量は、所与の室内試験方法に従って、吸収性物品（１）の長手方向に最大５０％まで伸長して、吸収性物品（１）の元の長さに達することを可能にする。
【０１７６】
本発明において、吸収性物品（１）のバックシート（１２）は、その長手軸（Ｘ）にエラストマーストランド（１４）及び／又はストリップ（１６）を含む。エラストマーストランド及び／又はストリップの長さ（Ｌ）は、吸収性物品（１）の長手方向長さの少なくとも５％、及び吸収性物品（１）の長手方向長さの最大９５％を含む。
【０１７７】
本発明では、バックシート（１２）に取り付けられたエラストマーストランド（１４）及び／又はストリップ（１６）は、吸収性物品の長手方向に少なくとも部分的に配向された少なくとも２つのチャネルを形成する。
【０１７８】
吸収性物品（１）の長手軸にあるエラストマーストランド（１４）及び／又はストリップ（１６）の長さは、物品（１）の長手方向長さ（Ｌ）の５から９５％の間であり、好ましくは吸収性物品の長手方向長さの２０から７０％の間である。
【０１７９】
本発明において、長手軸にあるエラストマーストランド（１４）及び／又はストリップ（１６）の好ましい最大長は、吸収性物品の長手方向長さのせいぜい７０％である。エラストマーストランド（１４）及び／又はストリップの長さが吸収性物品の長手の長さの７０％を超える場合、バックシートはしわの寄った形態を失う。
【０１８０】
本発明において、長手軸にあるエラストマーストランド（１４）及び／又はストリップ（１６）の好ましい最小長さは、吸収性物品の長手方向長さの少なくとも２０％である。上記の値以下の場合、たるみの問題を防ぐのに効果的ではない。
【図１】
2020509921.tif 000003
【図２】
2020509921.tif 000004
【図３】
2020509921.tif 000005
【図４】
2020509921.tif 000006
【図５】
2020509921.tif 000007
【図６】
2020509921.tif 000008
【図７】
2020509921.tif 000009
【図８】
2020509921.tif 000010
【図９ａ】
2020509921.tif 000011
【図９ｂ】
2020509921.tif 000012
【国際調査報告】
2020509921.tif 000013
2020509921.tif 000014